(57)【要約】【課題】集塵室の開閉時に万一異物を挟んでも集塵室の側壁の下端を傷つけることなく、集塵室の気密性を確保できる電気掃除機を提供する。【解決手段】吸引風を発生させるファンモータ４と、本体１後方に配置されファンモータ４を収納するモータ室５と、本体１前方に配置されファンモータ４の吸気側と連通する集塵室２と、集塵室２の略上方を覆う開閉自在なる蓋体３と、蓋体３側面の最下端に設けた軟質材からなるバンパー２２とを備えることにより、蓋体３の開閉時に蓋体３の内壁１７を傷つけることの少なく、集塵室２の気密性を確保できる。【選択図】図４
2007296049.tif 000002
【特許請求の範囲】
【請求項１】
吸引風を発生させるファンモータと、本体後方に配置され前記ファンモータを収納するモータ室と、本体前方に配置され前記ファンモータの吸気側と連通する集塵室と、前記集塵室の略上方を覆う開閉自在なる蓋体と、前記蓋体側面の最下端に設けた軟質材からなるバンパーとを備えた電気掃除機。
【請求項２】
吸引風を発生させるファンモータと、本体後方に配置され前記ファンモータを収納するモータ室と、本体前方に配置され前記ファンモータの吸気側と連通する集塵室と、前記集塵室の略上方を覆う開閉自在なる蓋体を備え、前記蓋体側面の最下端に弾性構造を有するたバンパーを構成した電気掃除機。
【請求項３】
蓋体側壁を少なくとも外壁および内壁で構成し、前記内壁は集塵室の側壁上端と当接することを特徴とする請求項１または２記載の電気掃除機。
【請求項４】
蓋体の外壁下端に構成したバンパーは、前記蓋体の内壁より更に下方へ伸延し、前記蓋体を閉じた時に集塵室の側壁の上端部を覆うことを特徴とする請求項３記載の電気掃除機。
【請求項５】
バンパーの内面側に集塵室の側壁上端と当接するリブ体を形成し、前記バンパーを前記集塵室の側壁上端より下方に伸延した請求項１または２記載の電気掃除機。
【発明の詳細な説明】
【技術分野】
【０００１】
本発明は、電気掃除機本体のバンパーに関するものである。
【背景技術】
【０００２】
従来の電気掃除機を、図７、図８を用いて説明する。図７は電気掃除機の斜視図である。従来のこの種の電気掃除機は前部に集塵室３１、後部にファンモータ（図示せず）を内装している。図８は図７に示す集塵室３１の側壁上端部のＤ−Ｄ断面図である。集塵室３１の側壁部は蓋体３２の下端３２ａが下部材の上端に形成されたバンパー３３と略一体のパッキン部３４に圧接することにより集塵室の気密を確保している  （例えば、特許文献１参照）。
【特許文献１】特許第３０６３１３３号公報
【発明の開示】
【発明が解決しようとする課題】
【０００３】
しかしながら、上記構成では、万一、蓋体の周囲に異物を置いたまま集塵室の蓋体を閉めた場合、もしくは、閉まった場合には集塵室の蓋体の周囲が傷つき、集塵室の気密が確保できなくなりエア漏れなどを引き起こす恐れがあるという課題があった。
【０００４】
本発明は上記課題を解決するもので、異物を挟み込んだとしても蓋体を傷つけず、集塵室のエア漏れなどの心配のない電気掃除機を実現するものである。
【課題を解決するための手段】
【０００５】
上記従来の課題を解決するために、本発明の電気掃除機は、吸引風を発生させるファンモータと、本体後方に配置され前記ファンモータを収納するモータ室と、本体前方に配置され前記ファンモータの吸気側と連通する集塵室と、前記集塵室の略上方を覆う開閉自在なる蓋体と、前記蓋体側面の最下端に設けた軟質材によるバンパーとを備えたもので、集塵室の蓋体の下端部の外方にバンパー体を形成することで、異物を挟み込んだとしても蓋体が傷つかず、集塵室のエア漏れなどの心配のない電気掃除機が実現するものである。
【発明の効果】
【０００６】
本発明は、集塵室の蓋体の下端部の外方にバンパー体を形成し、異物を挟み込んだとしても蓋体が傷つかず、集塵室のエア漏れなどの心配がない電気掃除機を提供することができる。
【発明を実施するための最良の形態】
【０００７】
第１の発明は、吸引風を発生させるファンモータと、本体後方に配置され前記ファンモータを収納するモータ室と、本体前方に配置され前記ファンモータの吸気側と連通する集塵室と、前記集塵室の略上方を覆う開閉自在なる蓋体と、前記蓋体側面の最下端に設けた軟質材からなるバンパーとを備えたことにより、集塵室内の塵埃や、塵埃を内装した紙袋などを取り出す作業時において、万一何かを挟み込んで、蓋が倒れて閉まったとしても、下端にバンパーがあるため、蓋の衝撃を吸収すると共に蓋体の破損等もなく、より安全で耐久性の高い電気掃除機を実現することができる。
【０００８】
第２の発明は、吸引風を発生させるファンモータと、本体後方に配置され前記ファンモータを収納するモータ室と、本体前方に配置され前記ファンモータの吸気側と連通する集塵室と、前記集塵室の略上方を覆う開閉自在なる蓋体を備え、前記蓋体側面の最下端に弾性構造を有するたバンパーを構成したことにより、集塵室内の塵埃や、塵埃を内装した紙袋などを取り出す作業時において、万一何かを挟み込んで、蓋が倒れて閉まったとしても、下端にバンパーがあるため、蓋の衝撃を吸収すると共に蓋体の破損等もなく、より安全で耐久性の高い電気掃除機を実現することができる。
【０００９】
第３の発明は、蓋体側壁を少なくとも外壁および内壁で構成し、前記内壁は集塵室の側壁上端と当接することを特徴とするもので、不意に閉まるなどの時にも蓋体の内壁および集塵室の下側壁の上端部を傷つけることの無い電気掃除機を実現することができる。
【００１０】
第４の発明は、蓋体の外壁下端に構成したバンパーは、前記蓋体の内壁より更に下方へ伸延し、前記蓋体を閉じた時に集塵室の側壁の上端部を覆うことにより、不意に閉まるなどの時にも蓋体の内壁および集塵室の下側壁の上端部を傷つけることの無い電気掃除機を実現することができる。
【００１１】
第５の発明は、バンパーの内面側に集塵室の側壁上端と当接するリブ体を形成し、前記バンパーを前記集塵室の側壁上端より下方に伸延したことにより、不意に閉まるなどの時にも蓋体の内壁および集塵室の下側壁の上端部を傷つけることの無い電気掃除機を実現することができる。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１〜図４を用いて説明する。
【００１４】
図１は、本発明の第１の実施の形態である電気掃除機本体１（以下、本体と呼ぶ）の平面断面図である。また、図２は本体１の蓋体３の側面図、図３は集塵室２を覆うための蓋体３の側面図、および図４は集塵室２の側壁部の局部断面図である。
【００１５】
図に示す様に、ファンモータ４はモータ室５に内装されており、モータ室５にはファンモータ４の吸気側に望んだモータ室吸気口６、ファンモータ４の排気側に望んだモータ室排気口７が形成され、排気フィルタ８を介して外気に連通している。モータ室５の側方には電源コード９を巻き取り、収納するコードリール１０を内装するコードリール室１１が配置されている。
【００１６】
モータ室５とモータ室吸気口６を介して連通する集塵室２は前記モータ室５の前方に位置し、集塵室２の上方は後方に設けた回動軸１２で回動自在に支持され、前方の尾錠１３で開閉自在に係止された蓋体３が配置されている。モータ室吸気口６の前方集塵室２側にはフィルタ１４が配置されている。
【００１７】
集塵室２の上方の蓋体３には、床ノズルなどの吸い込み口（図示せず）や延長管（図示せず）に連通したホースを接続する吸気口１５が配置され、同吸気口１５には集塵室２に収納された集塵用の紙袋１６の支持板１６ａの開口部１６ｂが接続される。
【００１８】
集塵室２の蓋体３の下端は内壁１７と外壁１８で形成され、蓋体３が閉じられている時に内壁１７の下端は本体１の下部材１９の集塵室側壁２０の上端に配置されたゴムなどの軟質材よりなる集塵室パッキン２１に略接触し、集塵室２を外気に対して略密閉される。
【００１９】
内壁１７の外側に形成される外壁１８は、内壁１７の下端と集塵室パッキン２１の接触部分を覆う様に集塵室側壁２０の上端よりも下方に伸延している。なお、外壁１８は外壁上部１８ａから外壁下端１８ｂまで、軟質材よりなるバンパー２２に覆われている。
【００２０】
以上のように構成された電気掃除機において、その動作を説明する。
【００２１】
操作者が電源を接続し、電源スイッチ（図示せず）を操作し、運転を始めるとファンモータ４が運転し、埃等を含んだ空気は床ノズルなどの吸い込み口や延長管を介し、吸気口１５から吸引、集塵室２内の紙袋１６を通過し、濾過されて、さらにフィルタ１４、モータ室吸気口６を通り、ファンモータ４に達する。さらにファンモータ４を通って、モータ室排気口７から排気フィルタ８を通り、機外に排出される。
【００２２】
当該電気掃除機は操作者によって引き回され、床面を移動するわけであるが、その際、家具などに触れた場合にも前記バンパー２２が当たり家具の傷つきなどを防ぐものである。こうして、繰り返し掃除作業を行い、集塵室２内の紙袋１６が塵埃に満たされると、集塵室２の前方に配置された尾錠１３を外し、後方の回動軸１２を軸に集塵室２の蓋体３を上方に回動し、紙袋１６を交換するものである。
【００２３】
さて、掃除作業中にあっては、集塵室２は常に外気に対してファンモータ４によって負圧に保たれるわけであり、前記内壁１７の下端と集塵室パッキン２１により、外気に対して略密閉に保たれる。
【００２４】
しかし、集塵室２内の紙袋１６の交換などの際に、蓋体３を上方に回動し、紙袋１６を交換するわけであるが、万一、この内壁１７の下端と集塵室パッキン２１の間に異物を挟み込んだりしたとしても下方に突出したバンパー２２があるために、異物は先にバンパー２２に当たり、衝撃を緩和すると同時に内壁１７の下端の損傷を防止できるものである。これによって、異物を挟んだとしても内壁１７の下端を損傷することがないので、集塵室２の気密は保たれ、吸い込み性能を損なうことがない。
【００２５】
また、同様に不意に蓋体３が閉まって、手指を挟んだとしてもバンパー２２の緩衝作用により、より安全な紙袋１６の交換作業が実現できる。
【００２６】
さらに、掃除作業による取り回し時に、家具などにぶつけるなど、バンパー２２に衝撃や損傷を与えることがあったとしても内壁１７および集塵室パッキン２１とは独立しているため、同様に、吸い込み性能を損なうことがない。
【００２７】
また、内壁１７と外壁１８およびバンパー２２が下方に向かって開かれた構成であるため、その間にごみや異物が溜まったり、引っかかったりしにくく、開閉時の作業も行いやすく、使い勝手も良い。
【００２８】
また、バンパー２２は独立して形成されているため、衝撃時のたわみ量を大きく取ることができるため、衝撃吸収性の良いバンパー２２を実現でき、家や家具に、もしくは取り扱う人にも優しい耐久性の高い掃除機が実現できるものである。
【００２９】
なお、本実施の形態は集塵室２に紙袋１６を内装する例で説明を行ったが、その他の集塵手段であっても、蓋体３を有する集塵室２の形態をとるのであれば、その形式にかかわらず有効であり、本発明がそれらの集塵形態に制限されるものではない。
【００３０】
（実施の形態２）
本発明の第２の実施の形態について、図５を用いて説明する。なお、ここでは先に説明した本発明の第１の実施の形態と異なる部分のみ説明を行う。
【００３１】
図５は第２の実施の形態における集塵室２の側壁部の局部断面図である。集塵室２の蓋体２３には内壁２４とその外側に下方へ伸延したバンパー２５が形成されている。バンパー２５は蓋体２３と一体に形成されているが、上部のみ連続し、外方および下方に伸延し、下部は連続していないため、弾性構造をなしている。これは、第１の実施の形態と同じく、万一、異物を挟み込んだとしても、集塵室２の蓋体２３の内壁２４下端を傷つけにくいため、万一、異物を挟み込んだとしても、集塵室２の気密は保たれ、吸い込み性能を損なうことがない。
【００３２】
また、同様にバンパー２５に衝撃や損傷を与えることがあったとしても内壁２４とは独立しているため、吸い込み性能を損なうことがなく、独立して形成されているため、家や家具に、もしくは取り扱う人にも優しい耐久性の高い掃除機が実現できるものである。
【００３３】
（実施の形態３）
本発明の第２の実施の形態について、図６を用いて説明する。なお、ここでは先に説明した本発明の第１の実施の形態と異なる部分のみ説明を行う。
【００３４】
図６は第３の実施の形態における集塵室２の局部断面図である。集塵室２の蓋体２６の下端には軟質材よりなるリブ体２７とその外側に下方へ伸延したバンパー２８が一体に形成されている。
【００３５】
これは、第１の実施の形態と同じく、万一、異物を挟み込んだとしても、集塵室２の蓋体２６のリブ体２７や下部材の側壁２９を傷つけにくいため、万一、異物を挟み込んだとしても、集塵室２の気密は保たれ、吸い込み性能を損なうことがない。
【００３６】
また、同様にバンパー２８に衝撃や損傷を与えることがあったとしてもリブ体２７および側壁２９とは独立しているため、吸い込み性能を損なうことがなく、独立して形成されているため、家や家具に、もしくは取り扱う人にも優しい耐久性の高い掃除機が実現できるものである。
【００３７】
なお、以上説明した本発明の実施の形態はそれぞれ代表例として説明を行ったものであり、本実施の形態が本発明の請求の範囲を制限するものではない。
【産業上の利用可能性】
【００３８】
以上のように、本発明にかかる電気掃除機は、集塵室の蓋体の内壁とバンパーと略一体な外壁とすることにより、蓋体の開閉時にも集塵室の気密を確保する蓋体の側壁を傷つけることの少ない、より緩衝性の高いバンパーを持つ電気掃除機の構成に極めて有用なものである。
【図面の簡単な説明】
【００３９】
【図１】本発明の実施の形態１を示す電気掃除機の水平断面図
【図２】本発明の実施の形態１を示す電気掃除機の側面図
【図３】本発明の実施の形態１を示す電気掃除機の蓋体の側面図
【図４】本発明の実施の形態１を示す電気掃除機の蓋体の局部断面図
【図５】本発明の実施の形態２を示す電気掃除機の蓋体の局部断面図
【図６】本発明の実施の形態３を示す電気掃除機の蓋体の局部断面図
【図７】従来の電気掃除機の外観斜視図
【図８】従来の電気掃除機の蓋体の局部断面図
【符号の説明】
【００４０】
１    電気掃除機本体
２    集塵室
３、２３、２６  蓋体
４    ファンモータ
５    モータ室
１７、２４  内壁
１８  外壁
２０  集塵室側壁
２２、２５、２８  バンパー
２７  リブ体
２９  側壁
【図１】
2007296049.tif 000003
【図２】
2007296049.tif 000004
【図３】
2007296049.tif 000005
【図４】
2007296049.tif 000006
【図５】
2007296049.tif 000007
【図６】
2007296049.tif 000008
【図７】
2007296049.tif 000009
【図８】
2007296049.tif 000010